(57)【要約】【課題】スムーズに蓋体を閉塞状態にすることができる薄葉紙収納容器を提供する。【解決手段】上面に取出口Ｃａを有し、内側に薄葉紙Ｐが積層された薄葉紙積層体Ｑを収納するケース体Ｃと、ケース体Ｃに対してスライド移動することで取出口Ｃａを開閉させる上蓋２０（蓋体）と、上蓋２０が閉塞状態となるように係止するとともに、当該係止を解除可能な係止手段と、を備え、係止手段は、上蓋２０に設けられた爪部２３と、ケース体Ｃに設けられ爪部２３と係合する爪受部３４ｃと、からなり、取出口Ｃａと爪受部３４ｃとは、ケース体Ｃの平面視にて、上蓋２０のスライド移動の方向に重ならないように配置されている。【選択図】図３
2014065533.tif 000002
【特許請求の範囲】
【請求項１】
上面に取出口を有し、内側に薄葉紙が積層された薄葉紙積層体を収納するケース体と、
前記ケース体に対してスライド移動することで前記取出口を開閉させる蓋体と、
前記蓋体が閉塞状態となるように係止するとともに、当該係止を解除可能な係止手段と、を備え、
前記係止手段は、前記蓋体に設けられた爪部と、前記ケース体に設けられ前記爪部と係合する爪受部と、からなり、
前記取出口と前記爪受部とは、前記ケース体の平面視にて、前記蓋体のスライド移動の方向に重ならないように配置されていることを特徴とする薄葉紙収納容器。
【請求項２】
前記爪受部は、前記ケース体の平面視にて、前記蓋体のスライド移動の方向に直交する方向の中央部に配置されており、
前記取出口は、前記ケース体の平面視にて、前記蓋体のスライド移動の方向に直交する方向の中央部からずれた位置に配置されていることを特徴とする請求項１に記載の薄葉紙収納容器。
【請求項３】
前記薄葉紙積層体は、前記薄葉紙を取り出すための開口が設けられた包装体によって内包されており、
前記開口は、前記ケース体の平面視にて前記蓋体のスライド移動の方向に直交する方向の中央部からずれた位置に、前記取出口と前記ケース体の高さ方向に重なるように配置されていることを特徴とする請求項２に記載の薄葉紙収納容器。
【請求項４】
前記薄葉紙積層体を構成する複数の薄葉紙のうち少なくとも最上層の薄葉紙は、端部が前記取出口を介して露出するように折り畳まれていることを特徴とする請求項２又は３に記載の薄葉紙収納容器。
【請求項５】
前記爪受部は、前記ケース体の平面視にて、前記蓋体のスライド移動の方向に直交する方向の中央部からずれた位置に配置されており、
前記取出口は、前記ケース体の平面視にて、前記蓋体のスライド移動の方向に直交する方向の中央部に配置されていることを特徴とする請求項１に記載の薄葉紙収納容器。
【請求項６】
前記爪受部は、前記ケース体の平面視にて、前記蓋体のスライド移動の方向に直交する方向の中央部を挟んで、当該直交する方向に並んで２つ設けられていることを特徴とする請求項５に記載の薄葉紙収納容器。
【請求項７】
前記爪受部は、前記ケース体の平面視にて、前記蓋体のスライド移動の方向に直交する方向の中央部よりも一側に設けられており、
前記ケース体は、当該ケース体の平面視にて、前記蓋体のスライド移動の方向に直交する方向の中央部よりも他側に係合受部を有し、
前記蓋体は、当該蓋体の閉塞状態において、前記係合受部と係合する係合部を有することを特徴とする請求項５に記載の薄葉紙収納容器。
【請求項８】
前記蓋体は、当該蓋体と前記ケース体との間に前記薄葉紙が挟まれた状態で閉塞状態となった場合に、当該薄葉紙に押圧されることによって変形することを特徴とする請求項１から７の何れか一項に記載の薄葉紙収納容器。
【発明の詳細な説明】
【技術分野】
【０００１】
本発明は、薄葉紙を収納する薄葉紙収納容器に関する。
【背景技術】
【０００２】
従来、家屋の床やトイレ、或いは人体などを拭くための薄葉紙を収納する薄葉紙収納容器が知られている。
このような薄葉紙収納容器としては、例えば、内側に積層薄紙を収容する収容空間とこの積層薄紙の取出口とが備わった容器本体と、取出口を閉塞並びに解放するための開閉蓋とが備わり、開閉蓋が容器本体の上壁にほぼ沿って平行にスライド出来るように装着されているとともに、開閉蓋による取出口の閉塞姿勢を保持するロック機構が、開閉蓋の辺縁上面を押圧することでロック解除可能に構成されているスライド式開閉蓋を有する収納容器が知られている（特許文献１，２参照）。
【先行技術文献】
【特許文献】
【０００３】
【特許文献１】特開２０１２−９１８３４号公報
【特許文献２】特開２０１２−９１８３５号公報
【発明の概要】
【発明が解決しようとする課題】
【０００４】
しかしながら、特許文献１，２に記載の薄葉紙収納容器において、取出口と、係止手段（ロック機構）を構成する爪部及び爪受部（係止突起及び係合凹部）とは、蓋体（開閉蓋）のスライド移動の方向に重なるように配置されている。すなわち、取出口が、蓋体のスライド移動に伴う爪部や爪受部の移動の軌跡下に配置されている。そのため、取出口から突出している薄葉紙（積層薄紙）が蓋体よりも上方に飛び出ている状態で蓋体を閉めようとすると、当該薄葉紙が爪部と爪受部との間に挟まってしまい、スムーズに蓋体を閉塞状態にすることができない。
【０００５】
本発明の課題は、スムーズに蓋体を閉塞状態にすることができる薄葉紙収納容器を提供することである。
【課題を解決するための手段】
【０００６】
上記課題を解決するために、請求項１に記載の発明は、薄葉紙収納容器において、
上面に取出口を有し、内側に薄葉紙が積層された薄葉紙積層体を収納するケース体と、
前記ケース体に対してスライド移動することで前記取出口を開閉させる蓋体と、
前記蓋体が閉塞状態となるように係止するとともに、当該係止を解除可能な係止手段と、を備え、
前記係止手段は、前記蓋体に設けられた爪部と、前記ケース体に設けられ前記爪部と係合する爪受部と、からなり、
前記取出口と前記爪受部とは、前記ケース体の平面視にて、前記蓋体のスライド移動の方向に重ならないように配置されていることを特徴とする。
【０００７】
請求項２に記載の発明は、請求項１に記載の薄葉紙収納容器において、
前記爪受部は、前記ケース体の平面視にて、前記蓋体のスライド移動の方向に直交する方向の中央部に配置されており、
前記取出口は、前記ケース体の平面視にて、前記蓋体のスライド移動の方向に直交する方向の中央部からずれた位置に配置されていることを特徴とする。
【０００８】
請求項３に記載の発明は、請求項２に記載の薄葉紙収納容器において、
前記薄葉紙積層体は、前記薄葉紙を取り出すための開口が設けられた包装体によって内包されており、
前記開口は、前記ケース体の平面視にて前記蓋体のスライド移動の方向に直交する方向の中央部からずれた位置に、前記取出口と前記ケース体の高さ方向に重なるように配置されていることを特徴とする。
【０００９】
請求項４に記載の発明は、請求項２又は３に記載の薄葉紙収納容器において、
前記薄葉紙積層体を構成する複数の薄葉紙のうち少なくとも最上層の薄葉紙は、端部が前記取出口を介して露出するように折り畳まれていることを特徴とする。
【００１０】
請求項５に記載の発明は、請求項１に記載の薄葉紙収納容器において、
前記爪受部は、前記ケース体の平面視にて、前記蓋体のスライド移動の方向に直交する方向の中央部からずれた位置に配置されており、
前記取出口は、前記ケース体の平面視にて、前記蓋体のスライド移動の方向に直交する方向の中央部に配置されていることを特徴とする。
【００１１】
請求項６に記載の発明は、請求項５に記載の薄葉紙収納容器において、
前記爪受部は、前記ケース体の平面視にて、前記蓋体のスライド移動の方向に直交する方向の中央部を挟んで、当該直交する方向に並んで２つ設けられていることを特徴とする。
【００１２】
請求項７に記載の発明は、請求項５に記載の薄葉紙収納容器において、
前記爪受部は、前記ケース体の平面視にて、前記蓋体のスライド移動の方向に直交する方向の中央部よりも一側に設けられており、
前記ケース体は、当該ケース体の平面視にて、前記蓋体のスライド移動の方向に直交する方向の中央部よりも他側に係合受部を有し、
前記蓋体は、当該蓋体の閉塞状態において、前記係合受部と係合する係合部を有することを特徴とする。
【００１３】
請求項８に記載の発明は、請求項１から７の何れか一項に記載の薄葉紙収納容器において、
前記蓋体は、当該蓋体と前記ケース体との間に前記薄葉紙が挟まれた状態で閉塞状態となった場合に、当該薄葉紙に押圧されることによって変形することを特徴とする。
【発明の効果】
【００１４】
本発明によれば、取出口と爪受部とが、ケース体の平面視にて、蓋体のスライド移動の方向に重ならないように配置されており、取出口から突出している薄葉紙が蓋体よりも上方に飛び出ている状態で蓋体を閉めても、当該薄葉紙が爪部と爪受部との間に挟まることがないので、スムーズに蓋体を閉塞状態にすることができる。
【図面の簡単な説明】
【００１５】
【図１】本発明の実施形態に係る薄葉紙収納容器において、（ａ）は上蓋を閉めた状態を示す斜視図、（ｂ）は上蓋を開けた状態を示す斜視図である。
【図２】本発明の実施形態に係る薄葉紙収納容器において、上蓋を閉めた状態を示す平面図である。
【図３】本発明の実施形態に係る薄葉紙収納容器において、上蓋を開けた状態を示す平面図である。
【図４】図２の薄葉紙収納容器のIV−IV線における断面図である。
【図５】図３の薄葉紙収納容器のV−V線における断面図である。
【図６】容器本体を示す平面図である。
【図７】シャーシ及び付勢部材を示す平面図である。
【図８】上蓋を示す平面図である。
【図９】容器本体の取出口と包装体の開口との関係を説明するための図である。
【図１０】薄葉紙収納容器の変形例を示す図である。
【図１１】薄葉紙収納容器の変形例を示す図である。
【発明を実施するための形態】
【００１６】
以下、本発明の実施の形態を図面に基づいて説明する。ただし、発明の範囲は、図示例に限定されない。
【００１７】
図１〜図８を用いて、本実施形態の薄葉紙収納容器の構成について説明する。
なお、以下の説明では、薄葉紙収納容器の平面視長手方向を左右方向、平面視短手方向を前後方向、高さ方向を上下方向とする。
【００１８】
本実施形態に係る薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの薄葉紙Ｐを収納可能に構成されている。なお、薄葉紙収納容器１には、ティシューペーパーやキッチンペーパーやペーパータオル等のドライタイプの薄葉紙Ｐを収納しても良い。
具体的には、薄葉紙収納容器１は、例えば、図１（ａ），（ｂ）、図２から図５に示すように、上面に薄葉紙Ｐを取り出すための取出開口１１を有するとともに下面に薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出開口１１を開閉させる上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００１９】
容器本体１０、上蓋２０、シャーシ３０及び底蓋４０は、例えば、ＰＰ（ポリプロピレン）、ＰＥ（ポリエチレン）、ＰＶＣ（ポリ塩化ビニル）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばね（引きばね）を用いるが、これに限ることはなく、付勢部材５０は、伸縮部材であれば適宜任意に変更可能であり、例えば、トーションばねや圧縮コイルばね（押しばね）等であっても良い。
また、付勢部材５０は、金属材料からなる伸縮部材であっても、高分子材料からなる伸縮部材であっても良い。高分子材料からなる伸縮部材としては、例えば、プラスチック製の伸縮部材、シリコンゴム等のゴムや、スチレン系、オレフィン系、塩化ビニル系、ポリエステル系、ポリウレタン系、ナイロン系のエラストマー等の熱可塑性エラストマーなどの弾性体（軟質材料）製の伸縮部材等が挙げられ、また、その形状は、ばね状であっても、板状やチューブ状や紐状であっても良く、適宜任意に変更可能である。付勢部材５０が高分子材料からなる場合、金属製の付勢部材と違って錆びることがないので、長期に亘って安定的に使用することができる。薄葉紙収納容器１に収納する薄葉紙Ｐが、ウェットタイプの薄葉紙Ｐである場合は特に、金属製の付勢部材５０を用いると、薄葉紙Ｐから蒸発した薬液によって付勢部材が錆びる可能性が高くなるので、高分子材料からなる付勢部材５０を用いることが好ましい。
【００２０】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２１】
容器本体１０の上面部１０ａには、例えば、図４、図５に示すように、下側に向けて陥没する凹部１３が設けられており、この凹部１３の底面部１３ａに取出開口１１が形成されている。なお、本実施形態では、底面部１３ａのうち左右方向（容器本体１０の平面視長手方向）中央よりも一側（本実施形態の場合、右側）にずれた位置に取出開口１１を形成したが、これに限ることはなく、例えば、底面部１３ａの左右方向略中央に取出開口１１を形成することも可能である。
取出開口１１は、容器本体１０の内部の収納空間部Ｓに収納された薄葉紙Ｐを取り出すための、平面視にて角のとれた略長方形状に形成された開口である。
【００２２】
この取出開口１１の周縁には、例えば、図４、図５に示すように、シリコンゴム等のゴムや、スチレン系、オレフィン系、塩化ビニル系、ポリエステル系、ポリウレタン系、ナイロン系のエラストマー等の熱可塑性エラストマーなどの薬液耐性のある軟質材料から形成されたケース側パッキン１４が装着されている。
また、上蓋２０の下面にも、シリコンゴム等のゴムや、スチレン系、オレフィン系、塩化ビニル系、ポリエステル系、ポリウレタン系、ナイロン系のエラストマー等の熱可塑性エラストマーなどの薬液耐性のある軟質材料から形成された蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、収納空間部Ｓ内を気密に保つための気密手段として機能する。
これにより、薄葉紙収納容器１に収納する薄葉紙Ｐが、本実施形態のようにウェットタイプの薄葉紙Ｐである場合には、薄葉紙Ｐに含浸した薬液の蒸発を防止できるようになっている。
【００２３】
ケース側パッキン１４には、例えば、図３〜図５に示すように、当該ケース側パッキン１４本体の下面開口を塞ぐ（すなわち、容器本体１０の取出開口１１を塞ぐ）底面部１４ａが設けられている。
底面部１４ａには、例えば、図３に示すように、取出口Ｃａとなる開口が設けられており、この開口によって、容器本体１０の取出開口１１の一部が開放されている。
すなわち、本実施形態の場合、上面に取出口Ｃａを有し、内側に薄葉紙Ｐが積層された薄葉紙積層体Ｑを収納するケース体Ｃは、容器本体１０と、当該容器本体１０の上面に固定されるシャーシ３０と、当該容器本体１０の上面に装着されるケース側パッキン１４と、からなり、上蓋２０は、ケース体Ｃのうちシャーシ３０に取り付けられている。
【００２４】
取出口Ｃａは、上蓋２０が開放状態（図１（ｂ）、図３、図５参照）となった場合に開放され、このとき薄葉紙Ｐは、取出口Ｃａを通じて一枚毎に収納空間部Ｓから外部に引き出すことができるようになっている。
ここで、収納空間部Ｓに収納されている薄葉紙積層体Ｑは、例えば、複数枚の薄葉紙Ｐが積層された詰替え用の薄葉紙積層体であって、ケース体Ｃに形成された取出口Ｃａから薄葉紙Ｐを継続して取り出せるように交互に折り重ねられた状態で積層されている。すなわち、薄葉紙Ｐを取出口Ｃａからケース体Ｃの外側へ引き出したときに、次の薄葉紙Ｐの上端が取出口Ｃａよりも突出する位置まで収納空間部Ｓから引き出される、いわゆるポップアップ方式となっている。
なお、薄葉紙積層体Ｑは、本実施形態のように包装体Ｔによって内包しても良いし、包装体Ｔによって内包しなくても良い。特に、薄葉紙収納容器１に収納する薄葉紙Ｐが、本実施形態のようにウェットタイプの薄葉紙Ｐである場合には、薄葉紙積層体Ｑを防湿性の包装体Ｔによって内包することが好ましい。
また、取出口Ｃａは、上蓋２０が閉塞状態（図１（ａ）、図２、図４参照）となった場合に閉塞されるようになっている。
【００２５】
また、ケース側パッキン１４の底面部１４ａには、例えば、図３、図６に示すように、開口（取出口Ｃａ）を塞ぐ方向側に向けて延出する延出部１４ｂが設けられている。これにより、薄葉紙Ｐを一枚ずつ引き出しやすくなっている。
なお、本実施形態では、延出部１４ｂを先端部が上下動可能な舌片状としたが、これに限ることはなく、延出部１４ｂは、例えば、上下動不能であっても良い。
また、本実施形態では、容器本体１０にケース側パッキン１４を設けて上蓋２０に蓋側パッキン２１を設けた、すなわち、ケース体Ｃと上蓋２０との双方に気密手段を設けたが、これに限ることはなく、気密手段によって取出口Ｃａの周縁と上蓋２０との隙間を封止できるのであれば、例えば、ケース体Ｃだけに気密手段を設けても良いし、上蓋２０だけに気密手段を設けても良い。
【００２６】
シャーシ３０は、例えば、図４、図５に示すように、容器本体１０の凹部１３内に収容された状態で容器本体１０の上面部１０ａに固定されており、上蓋２０は、シャーシ３０を介して容器本体１０に取り付けられている。
シャーシ３０は、例えば、図７に示すように、凹部１３の底面部１３ａ上に載置され、取出開口１１を取り囲む枠部３１と、閉塞状態の上蓋２０と略面一となるよう枠部３１に支持される上壁部３２と、を備えて構成される。
本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００２７】
シャーシ３０の枠部３１（具体的には、枠部３１の連結部３１ｃ（後述））の上面には、例えば、図２、図３、図７に示すように、付勢部材５０の一端と係合する固定側係合部３３が設けられている。
また、上蓋２０の下面のうち前後方向略中央の位置には、例えば、図２、図３、図８に示すように、付勢部材５０の他端と係合する可動側係合部２２が設けられている。
本実施形態において、薄葉紙収納容器１は、例えば、図７に示すように、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長径方向）に平行で可動側係合部２２を通る直線）に対して互いに線対称となる位置に配置され、かつ、上蓋２０の閉塞状態における可動側係合部２２との間隔（図２参照）が、上蓋２０の開放状態における可動側係合部２２との間隔（図３参照）よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００２８】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口Ｃａが開放される。
【００２９】
また、本実施形態において、可動側係合部２２は、例えば、図４、図５に示すように、固定側係合部３３よりも上側に配置されている。そのため、付勢部材５０は、ケース体Ｃの高さ方向（すなわち、上下方向）に対して斜めに設置、具体的には、可動側係合部２２と係合する他端が、固定側係合部３３と係合する一端よりも上側に配置された状態で設置されている。したがって、付勢部材５０は、上蓋２０の閉塞状態において、当該上蓋２０を開放状態となる方向に付勢するだけでなく、当該上蓋２０を下方向（すなわち、当該上蓋２０をケース体Ｃに押し付ける方向）にも付勢するので、気密手段（本実施形態の場合、ケース側パッキン１４及び蓋側パッキン２１）によって取出口Ｃａの周縁と上蓋２０との隙間がしっかりと封止されることとなって、収納空間部Ｓの気密性が向上する。
これにより、薄葉紙収納容器１に収納する薄葉紙Ｐが、本実施形態のようにウェットタイプの薄葉紙Ｐである場合には、薄葉紙Ｐに含浸した薬液の蒸発を確実に防止できるようになっている。
【００３０】
付勢部材５０は、伸縮部材により構成され、シャーシ３０の固定側係合部３３が、ケース体Ｃ（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００３１】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、薄葉紙収納容器１の美観が向上するとともに、付勢部材５０、シャーシ３０の固定側係合部３３及び上蓋２０の可動側係合部２２が触られることを防止できるようになっている。
【００３２】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００３３】
上蓋２０の右端部（すなわち、上壁部３２側の端部）には、例えば、図４、図５に示すように、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００３４】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００３５】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、上蓋２０に設けられた爪部２３と、シャーシ３０に設けられ爪部２３と係合する爪受部３４ｃとが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００３６】
ここで、例えば、図３に示すように、爪受部３４ｃ（少なくとも爪部２３が進入する孔部）は、平面視にて、爪部２３と左右方向（上蓋２０のスライド移動の方向）に重なるように配置されているが、取出口Ｃａ（本実施形態の場合、ケース側パッキン１４の開口）とは左右方向（上蓋２０のスライド移動の方向）に重ならないように配置されている。すなわち、爪受部３４ｃ（少なくとも爪部２３が進入する孔部）は、上蓋２０のスライド移動に伴う爪部２３の移動の軌跡に重なるように配置されているが、取出口Ｃａは、上蓋２０のスライド移動に伴う爪部２３の移動の軌跡に重ならないように配置されている。
具体的には、本実施形態では、爪受部３４ｃ及び爪部２３は、ケース体Ｃの平面視にて、前後方向（上蓋２０のスライド移動の方向に直交する方向）の中央部に配置されており、取出口Ｃａは、ケース体Ｃの平面視にて、前後方向（上蓋２０のスライド移動の方向に直交する方向）の中央部よりも当該前後方向の一方側（本実施形態の場合、後側）にずれた位置に配置されている。
【００３７】
このように、本実施形態の薄葉紙収納容器１においては、取出口Ｃａが爪部２３の移動の軌跡下に配置されていないため、取出口Ｃａから突出している薄葉紙Ｐが上蓋２０よりも上方に飛び出ている状態で、上蓋２０を閉めようとしても（上壁部３２側へとスライド移動させても）、当該薄葉紙Ｐが爪部２３と爪受部３４ｃとの間に挟まってしまうことがない。したがって、取出口Ｃａから突出している薄葉紙Ｐが上蓋２０よりも上方に飛び出ている場合であっても、スムーズに上蓋２０を閉塞状態にする（すなわち、スムーズに爪部２３と爪受部３４ｃとを係合させる）ことができる。
【００３８】
本実施形態においては、取出口Ｃａから突出している薄葉紙Ｐが上蓋２０よりも上方に飛び出ている状態で、上蓋２０を閉める場合、当該薄葉紙Ｐは、爪部２３と爪受部３４ｃとの間には挟まらないが、上蓋２０と上壁部３２との間には挟まる。上蓋２０と上壁部３２との間に薄葉紙Ｐが挟まると、上蓋２０の上壁部３２への接近が制限されるので、スムーズに上蓋２０を閉塞状態にする（すなわち、スムーズに爪部２３と爪受部３４ｃとを係合させる）ことができなくなったり、上蓋２０の閉塞状態においてケース側パッキン１４と蓋側パッキン２１との間に隙間ができて気密性が低下してしまったりする可能性がある。
したがって、上蓋２０として、上蓋２０と上壁部３２との間に薄葉紙Ｐが挟まれた状態で上蓋２０が閉塞状態となった場合に、当該薄葉紙Ｐに押圧されることによって変形可能な蓋体、具体的には、例えば、弾性変形可能な軟質材料から形成された蓋体を用いることが好ましい。
【００３９】
これにより、上蓋２０と上壁部３２との間に薄葉紙Ｐが挟まっても、上蓋２０のうち薄葉紙Ｐと接する部分のみが凹むように変形するので、薄葉紙Ｐと接する部分以外の部分の上壁部３２への接近は制限されない。したがって、爪部２３の爪受部３４ｃへの接近は制限されないので、スムーズに上蓋２０を閉塞状態にすることができるとともに、蓋側パッキン２１のケース側パッキン１４への接近も制限されないので、上蓋２０の閉塞状態においてケース側パッキン１４と蓋側パッキン２１とがぴったりと密着して気密性を保持することができる。
なお、上蓋２０全体を、薄葉紙Ｐに押圧されることによって変形可能な材料（例えば、弾性変形可能な軟質材料）で形成してもよいし、上蓋２０の一部（例えば、上壁部３２側の端部）のみを、薄葉紙Ｐに押圧されることによって変形可能な材料で形成してもよい。
【００４０】
ところで、薄葉紙積層体Ｑを包む包装体Ｔに設けられた開口Ｔ１（薄葉紙Ｐを取り出すための開口）は、通常、例えば、図９（ａ）に示すように、包装体Ｔの平面視短手方向の略中央部に設けられている。したがって、本実施形態のように、取出口Ｃａが、ケース体Ｃの平面視短手方向（すなわち、前後方向）の中央部からずれた位置に配置されていると、例えば、図９（ａ）に示すように、開口Ｔ１の大部分（あるいは、全部）が取出口Ｃａを介して視認できず、取出口Ｃａから収納空間部Ｓ内にユーザの指等を入れて包装体Ｔに内包されている薄葉紙Ｐを引き出す作業が行いにくいという問題が生じる場合がある。
また、薄葉紙積層体Ｑを構成する薄葉紙Ｐは、通常、例えば、図９（ａ）に示すように、当該薄葉紙Ｐの端部Ｐ１（具体的には、薄葉紙積層体Ｑの平面視長手方向に沿って延在する端部のうち開口Ｔ１側の端部）が薄葉紙積層体Ｑの平面視短手方向の略中央部に位置するように折り畳まれている。したがって、本実施形態のように、取出口Ｃａが、ケース体Ｃの平面視短手方向（すなわち、前後方向）の中央部からずれた位置に配置されていると、例えば、図９（ａ）に示すように、薄葉紙Ｐの端部Ｐ１が取出口Ｃａを介して視認できず、取出口Ｃａから収納空間部Ｓ内にユーザの指等を入れて未使用の薄葉紙積層体Ｑから薄葉紙Ｐを引き出す作業が行いにくいという問題が生じる場合がある。
【００４１】
したがって、開口Ｔ１は、例えば、図９（ｂ），（ｃ）に示すように、ケース体Ｃの平面視にて前後方向（上蓋２０のスライド移動の方向に直交する方向）の中央部よりも当該前後方向の一方側（本実施形態の場合、後側）にずれた位置に、取出口Ｃａと上下方向（ケース体Ｃの高さ方向）に重なるように配置されていることが好ましい。
これにより、開口Ｔ１の大部分（あるいは、全部）が取出口Ｃａを介して視認できるようになるので、取出口Ｃａから収納空間部Ｓ内にユーザの指等を入れて包装体Ｔに内包されている薄葉紙Ｐを引き出す作業が行いやすくなる。
【００４２】
また、薄葉紙積層体Ｑが包装体Ｔによって内包されている場合も、内包されていない場合も、当該薄葉紙積層体Ｑを構成する複数の薄葉紙Ｐのうち最上層の薄葉紙Ｐ（すなわち、最初に引き出される薄葉紙Ｐ）は、例えば、図９（ｂ），（ｃ）に示すように、その端部Ｐ１が、ケース体Ｃの平面視短手方向の中央部からずれた位置に配置された取出口Ｃａを介して露出するように折り畳まれていることが好ましい。
これにより、最上層の薄葉紙Ｐの端部Ｐ１が取出口Ｃａを介して視認できるようになるので、取出口Ｃａから収納空間部Ｓ内にユーザの指等を入れて未使用の薄葉紙積層体Ｑから薄葉紙Ｐを引き出す作業が行いやすくなる。
本実施形態の場合、薄葉紙Ｐはポップアップ方式で折り畳まれているので、取出口Ｃａから収納空間部Ｓ内にユーザの指等を入れて最上層の薄葉紙Ｐの端部Ｐ１（上端部）を取出口Ｃａよりも突出する位置まで引き出せば、その他の薄葉紙Ｐの端部Ｐ１（上端部）は、その前の薄葉紙Ｐ全体を取出口Ｃａから外側へ引き出したときに取出口Ｃａよりも突出する位置まで引き出される。したがって、少なくとも最上層の薄葉紙Ｐの端部Ｐ１が取出口Ｃａを介して露出するように折り畳まれていれば良く、例えば、図９（ｂ）に示すように、最上層の薄葉紙Ｐの折り方のみを、通常の折り方（例えば、図９（ａ）の折り方）と変えても良いし、薄葉紙積層体Ｑを構成する薄葉紙Ｐのうち最上層の薄葉紙Ｐを含む一部の複数の薄葉紙Ｐの折り方を、通常の折り方と変えても良いし、例えば、図９（ｃ）に示すように、薄葉紙積層体Ｑを構成する全ての薄葉紙Ｐの折り方を、通常の折り方と変えても良い。最初に引き出される薄葉紙Ｐ以外の薄葉紙Ｐの折り方も通常の折り方と変えた場合、例えば最初に引き出される薄葉紙Ｐ以外の薄葉紙Ｐの端部Ｐ１が取出口Ｃａよりも突出する位置まで引き出された後に収納空間部Ｓ内に落ち込んでしまっても、その落ち込んだ端部Ｐ１が取出口Ｃａを介して視認できるので、その薄葉紙Ｐが引き出しやすくなる。
なお、薄葉紙Ｐの端部Ｐ１が取出口Ｃａを介して露出するよう、通常の折り方の折り位置に端部Ｐ１を折り返すための折り位置を追加したり（図９（ｂ）参照）、折り位置を通常の折り方の折り位置からずらしたり（図９（ｃ）参照）したが、これに限ることはなく、端部Ｐ１が取出口Ｃａを介して露出するのであれば、薄葉紙Ｐの折り方は適宜任意に変更可能である。また、通常の折り方は、図９（ａ）に示すＺ状の三つ折り（Ｚ折り）に限らず、適宜任意に変更可能である。
【００４３】
本実施形態においては、シャーシ３０の枠部３１の一部が、上蓋２０を直線的にスライド移動するようガイドするレール部３１ａになっている。具体的には、例えば、図７に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図８に示すように、上蓋２０には、レール部３１ａに対してスライド移動可能に係合するスライド部２４が設けられている。スライド部２４は、例えば、上蓋２０とシャーシ３０とが組み合わされた状態で、レール部３１ａに設けられた横溝部に挿入可能となるように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００４４】
スライド部２４の左端部（すなわち、上蓋２０の開放状態となる方向側の端部）には、例えば、図８に示すように、上蓋２０が開放状態となる際の衝撃を吸収するダンパー２４ａが設けられている。
また、容器本体１０の凹部１３の周縁のうち、上蓋２０の閉塞状態においてスライド部２４の左端側（ダンパー２４ａを含む）に対応する位置には、例えば、図６に示すように、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００４５】
上蓋２０には、例えば、図４、図５に示すように、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体Ｃ（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００４６】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体Ｃ（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００４７】
上蓋２０の下面には、例えば、図４、図５に示すように、先端が左側（すなわち、上蓋２０の開放状態となる方向側）を向くよう前後方向の側面視略逆Ｌ字状に突出する突片部２７が設けられている。
また、容器本体１０の凹部１３の周縁のうち、上蓋２０の閉塞状態において突片部２７の先端側（ダンパー２７ａ（後述）を含む）に対応する位置には、例えば、図６に示すように、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００４８】
突片部２７の先端部には、例えば、図４、図５に示すように、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００４９】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体Ｃ側に設けても良いし、上蓋２０側とケース体Ｃ側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
【００５０】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００５１】
以上説明した本実施形態の薄葉紙収納容器１によれば、上面に取出口Ｃａを有し、内側に薄葉紙Ｐが積層された薄葉紙積層体Ｑを収納するケース体Ｃと、ケース体Ｃに対してスライド移動することで取出口Ｃａを開閉させる上蓋２０（蓋体）と、上蓋２０が閉塞状態となるように係止するとともに、当該係止を解除可能な係止手段と、を備え、係止手段は、上蓋２０に設けられた爪部２３と、ケース体Ｃに設けられ爪部２３と係合する爪受部３４ｃと、からなり、取出口Ｃａと爪受部３４ｃとは、ケース体Ｃの平面視にて、上蓋２０のスライド移動の方向（本実施形態の場合、左右方向）に重ならないように配置されている。
【００５２】
具体的には、本実施形態の場合、爪受部３４ｃは、ケース体Ｃの平面視にて、上蓋２０（蓋体）のスライド移動の方向に直交する方向（本実施形態の場合、前後方向）の中央部に配置されており、取出口Ｃａは、ケース体Ｃの平面視にて、上蓋２０のスライド移動の方向に直交する方向の中央部からずれた位置に配置されている。
【００５３】
したがって、取出口Ｃａから突出している薄葉紙Ｐが上蓋２０よりも上方に飛び出ている状態で、上蓋２０を閉めても、当該薄葉紙Ｐが爪部２３と爪受部３４ｃとの間に挟まることがないので、スムーズに上蓋２０を閉塞状態にする（すなわち、スムーズに爪部２３と爪受部３４ｃとを係合させる）ことができる。
【００５４】
また、以上説明した本実施形態の薄葉紙収納容器１によれば、薄葉紙積層体Ｑは、薄葉紙Ｐを取り出すための開口Ｔ１が設けられた包装体Ｔによって内包されており、開口Ｔ１は、ケース体Ｃの平面視にて上蓋２０（蓋体）のスライド移動の方向に直交する方向（本実施形態の場合、前後方向）の中央部からずれた位置に、取出口Ｃａとケース体Ｃの高さ方向（本実施形態の場合、上下方向）に重なるように配置されるよう構成することが可能である。
このように構成することによって、開口Ｔ１の大部分（あるいは、全部）が取出口Ｃａを介して視認できるようになるので、包装体Ｔに内包されている薄葉紙Ｐが引き出しやすくなる。
なお、本実施形態では、開口Ｔ１の全部が取出口Ｃａとケース体Ｃの高さ方向に重なるよう構成したが、これに限ることはなく、開口Ｔ１の大部分（例えば、半分以上）が取出口Ｃａとケース体Ｃの高さ方向に重なっていれば良い。
【００５５】
また、以上説明した本実施形態の薄葉紙収納容器１によれば、薄葉紙積層体Ｑを構成する複数の薄葉紙Ｐのうち少なくとも最上層の薄葉紙Ｐは、端部Ｐ１が取出口Ｃａを介して露出するように折り畳まれるよう構成することが可能である。
このように構成することによって、薄葉紙Ｐの端部Ｐ１が取出口Ｃａを介して視認できるようになるので、未使用の薄葉紙積層体Ｑから薄葉紙Ｐが引き出しやすくなる。
【００５６】
また、以上説明した本実施形態の薄葉紙収納容器１によれば、上蓋２０（蓋体）は、当該上蓋２０とケース体Ｃ（本実施形態の場合、シャーシ３０の上壁部３２）との間に薄葉紙Ｐが挟まれた状態で閉塞状態となった場合に、当該薄葉紙Ｐに押圧されることによって変形するよう構成することが可能である。
このように構成することによって、上蓋２０とケース体Ｃとの間に薄葉紙Ｐが挟まった場合、上蓋２０のうち薄葉紙Ｐと接する部分のみが凹むように変形し、薄葉紙Ｐと接する部分以外の部分とケース体Ｃとの位置関係は薄葉紙Ｐが挟まっていないときと略同じになるので、上蓋２０とケース体Ｃとの間に薄葉紙Ｐが挟まっても、スムーズに上蓋２０を閉塞状態にすることができるとともに、気密性を保持することができる。
【００５７】
＜変形例１＞
爪受部３４ｃを、ケース体Ｃの平面視にて、前後方向（上蓋２０のスライド移動の方向に直交する方向）の中央部からずれた位置に配置し、取出口Ｃａを、ケース体Ｃの平面視にて、前後方向（上蓋２０のスライド移動の方向に直交する方向）の中央部に配置することによって、取出口Ｃａと爪受部３４ｃ（少なくとも爪部２３が進入する孔部）とが、ケース体Ｃの平面視にて、上蓋２０のスライド移動の方向に重ならないようにすることも可能である。
ここで、取出口Ｃａの位置は、ケース側パッキン１４の底面部１４ａに設ける開口の位置を変えることによって変更することができる。
【００５８】
具体的には、例えば、図１０に示すように、取出口Ｃａが、ケース体Ｃの平面視にて、前後方向（上蓋２０のスライド移動の方向に直交する方向）の中央部に配置されるように、ケース側パッキン１４の底面部１４ａに開口を設けるとともに、例えばスイッチ部３４の幅（前後方向の長さ）を上記実施形態よりも大きくして、爪受部３４ｃを、ケース体Ｃの平面視にて、前後方向（上蓋２０のスライド移動の方向に直交する方向）の中央部を挟んで、当該前後方向に並んで２つ設けるように構成しても良い。
【００５９】
また、例えば、図１１に示すように、取出口Ｃａが、ケース体Ｃの平面視にて、前後方向（上蓋２０のスライド移動の方向に直交する方向）の中央部に配置されるように、ケース側パッキン１４の底面部１４ａに開口を設けるとともに、例えばスイッチ部３４の幅（前後方向の長さ）を上記実施形態よりも大きくして、爪受部３４ｃを、ケース体Ｃの平面視にて、前後方向（上蓋２０のスライド移動の方向に直交する方向）の中央部よりも一側（図１１の場合、前側）に設けるように構成しても良い。
この場合、例えば、図１１に示すように、ケース体Ｃ（図１１の場合、シャーシ３０）のうち、ケース体Ｃの平面視にて前後方向（上蓋２０のスライド移動の方向に直交する方向）の中央部よりも他側（図１１の場合、後側）に、係合受部３６を設け、上蓋２０に、当該上蓋２０の閉塞状態において係合受部３６と係合可能な係合部２８を設けると、上蓋２０の閉塞状態において当該上蓋２０のぐらつきを防止することができ、好適である。
【００６０】
なお、図１１に示す例では、係合受部３６を凹状に形成し、係合部２８を凸状に形成したが、係合受部３６及び係合部２８の形状は適宜任意に変更可能であり、例えば、係合受部３６を凸状に形成し、係合部２８を凹状に形成することも可能である。
また、係合受部３６及び係合部２８は、必ずしも設けなくても良い。係合受部３６及び係合部２８を設けない場合、取出口Ｃａは、ケース体Ｃの平面視にて、前後方向（上蓋２０のスライド移動の方向に直交する方向）の中央部ではなく、当該中央部よりも他側（図１１の場合、後側）に配置されていても良い。
また、変形例１の場合、薄葉紙積層体Ｑを包む包装体Ｔとして、通常の包装体Ｔ、すなわち開口Ｔ１が包装体Ｔの平面視短手方向の略中央部に設けられた包装体Ｔ（図９（ａ）参照）を用いることが好ましい。また、薄葉紙積層体Ｑを構成する薄葉紙Ｐの折り方は、通常の折り方、すなわち薄葉紙Ｐの端部Ｐ１が薄葉紙積層体Ｑの平面視短手方向の略中央部に位置するような折り方（図９（ａ）参照）であることが好ましい。
【００６１】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【００６２】
ケース側パッキン１４に底面部１４ａを設け、底面部１４ａに取出口Ｃａとなる開口を形成するよう構成したが、これに限ることはなく、例えば、容器本体１０の取出開口１１が取出口Ｃａとなるよう、取出開口１１のサイズや位置を調整しても良い。すなわち、容器本体１０の取出開口１１とシャーシ３０の爪受部３４ｃとを、ケース体Ｃの平面視にて、上蓋２０のスライド移動の方向に重ならないように配置することも可能である。この場合、ケース側パッキン１４としては、底面部１４ａが設けられていない（延出部１４ｂは設ける方が好ましい）、取出開口１１の周縁に装着可能な大きさに形成された筒状のパッキンが用いられる。また、この場合、ケース体Ｃには、ケース側パッキン１４を含めても良いし、含めなくても良い。
【符号の説明】
【００６３】
１  薄葉紙収納容器
１０  容器本体（ケース体）
１４  ケース側パッキン（ケース体）
２０  上蓋（蓋体）
２３  爪部（係止手段）
３０  シャーシ（ケース体）
３４ｃ  爪受部（係止手段）
Ｃ  ケース体
Ｃａ  取出口
Ｐ  薄葉紙
Ｐ１  端部
Ｑ  薄葉紙積層体
Ｔ  包装体
Ｔ１  開口
【図１】
2014065533.tif 000003
【図２】
2014065533.tif 000004
【図３】
2014065533.tif 000005
【図４】
2014065533.tif 000006
【図５】
2014065533.tif 000007
【図６】
2014065533.tif 000008
【図７】
2014065533.tif 000009
【図８】
2014065533.tif 000010
【図９】
2014065533.tif 000011
【図１０】
2014065533.tif 000012
【図１１】
2014065533.tif 000013